(57)【要約】      （修正有）【課題】浴室床パン本体の端部が切断された場合も、載置される壁パネルの設置安定性に優れた浴室床パンの施工構造を提供する。【解決手段】周縁に壁パネルが立設される浴室床パンの施工構造であって、壁パネルが載置される壁載置部２を周縁に備え、かつ、その周縁のうちの一端に壁載置部を備えていない切断端部１Ｃが形成されている浴室床パン本体１と、浴室床パン本体１の切断端部１Ｃに配設される壁載せ部材５とを備え、壁載せ部材５は、浴室床パン本体１の設置面側１Ｂと当接する固定部５１と、固定部５１と接続し、壁パネルを下方から支持する略水平な載置面部５２と、載置面部５２の一端から起立し、壁パネルの外面を支持する側壁部５３とを有し、切断端部１Ｃの設置面側１Ｂに固定部５１が固着されて、壁載せ部材５が切断端部１Ｃに配設されている浴室床パンの施工構造とする。【選択図】図１
2017061829.tif 000002
【特許請求の範囲】
【請求項１】
周縁に壁パネルが立設される浴室床パンの施工構造であって、
前記壁パネルが載置される壁載置部を周縁に備え、かつ、その周縁のうちの一端に前記壁載置部を備えていない切断端部が形成されている浴室床パン本体と、
前記浴室床パン本体の前記切断端部に配設される壁載せ部材と、
を備え、
前記壁載せ部材は、
前記浴室床パン本体の設置面側と当接する固定部と、
前記固定部と接続し、前記壁パネルを下方から支持する略水平な載置面部と、
前記載置面部の一端から起立し、前記壁パネルの外面を支持する側壁部と、
を有し、
前記切断端部の設置面側に前記固定部が固着されて、前記壁載せ部材が前記切断端部に配設されていることを特徴とする浴室床パンの施工構造。
【請求項２】
前記浴室床パン本体が設置される設置面に当接する脚部が、前記壁載せ部材と接続可能であることを特徴とする請求項１に記載の浴室床パンの施工構造。
【請求項３】
前記壁載せ部材は、前記載置面部の下面側に補強部材を備えることを特徴とする請求項１または２に記載の浴室床パンの施工構造。
【請求項４】
前記浴室床パン本体と前記壁載せ部材との間に止水部材が配設されていることを特徴とする請求項１から３のいずれか一項に記載の浴室床パンの施工構造。
【請求項５】
前記浴室床パン本体の前記切断端部の上端付近と前記壁載せ部材の前記側壁部との間にコーナー部材が配設されており、このコーナー部材は、前記止水部材と非接触であり、かつ、柱部材を下方から支持することを特徴とする請求項４に記載の浴室床パンの施工構造。
【請求項６】
前記壁載せ部材の前記固定部には、固着具が挿入される開口部が所定の間隔で設けられていることを特徴とする請求項１から５のいずれか一項に記載の浴室床パンの施工構造。
【請求項７】
前記浴室床パン本体の前記設置面側には、外方に向かって突出するリブが所定の間隔で複数列配設されていることを特徴とする請求項１から６のいずれか一項に記載の浴室床パンの施工構造。
【請求項８】
壁パネルを備える浴室の底面に設置される浴室床パンの施工部材セットであって、
前記壁パネルが載置される壁載置部を周縁に備え、かつ、その周縁のうちの一端に前記壁載置部を備えていない切断端部が形成されている浴室床パン本体と、
前記切断端部に配設される壁載せ部材と、
を含み、
前記壁載せ部材は、
前記浴室床パン本体の設置面側と当接して固着される固定部と、
前記固定部の一端と接続し、前記壁パネルを下方から支持する略水平な載置面部と、
前記載置面部の一端から起立し、前記壁パネルの外面を支持する側壁部と、
を備えることを特徴とする浴室床パンの施工部材セット。
【発明の詳細な説明】
【技術分野】
【０００１】
本発明は、浴室床パンの施工構造および浴室床パンの施工部材セットに関する。
【背景技術】
【０００２】
従来より、浴室床パン本体の端部を切断することで、浴室の施工空間の大きさに対応させる施工方法が知られている。
【０００３】
例えば、特許文献１には、周縁に設けられ壁パネルが載置される壁載置部と、壁載置部が切り落とされた場合に、壁パネルの載置位置の基準となる壁載せ部材（ピース部材）を正確な位置に取り付けるための位置決め手段とを備えた浴室床パンが記載されている。この浴室床パンでは、多種のユニットバスに対応することができ、壁パネルを正確な位置に取り付けることができるとされている。
【先行技術文献】
【特許文献】
【０００４】
【特許文献１】特開2010-121381号公報
【発明の概要】
【発明が解決しようとする課題】
【０００５】
しかしながら、特許文献１の浴室床パンの場合、側方から打ち込んだ固定部材によって壁載せ部材を固定しているため固定構造が不安定であり、載置される壁パネルの設置安定性を確保することが容易でないという問題があった。
【０００６】
本発明は、以上のとおりの事情に鑑みてなされたものであり、浴室床パン本体の端部が切断された場合も、載置される壁パネルの設置安定性に優れた浴室床パンの施工構造を提供することを課題としている。また、この浴室床パンの施工構造のための浴室床パンの施工部材セットを提供することを課題としている。
【課題を解決するための手段】
【０００７】
上記の課題を解決するために、本発明の浴室床パンの施工構造は、周縁に壁パネルが立設される浴室床パンの施工構造であって、
前記壁パネルが載置される壁載置部を周縁に備え、かつ、その周縁のうちの一端に前記壁載置部を備えていない切断端部が形成されている浴室床パン本体と、
前記浴室床パン本体の前記切断端部に配設される壁載せ部材と、
を備え、
前記壁載せ部材は、
前記浴室床パン本体の設置面側と当接する固定部と、
前記固定部と接続し、前記壁パネルを下方から支持する略水平な載置面部と、
前記載置面部の一端から起立し、前記壁パネルの外面を支持する側壁部と、
を有し、
前記切断端部の設置面側に前記固定部が固着されて、前記壁載せ部材が前記切断端部に配設されていることを特徴としている。
【０００８】
本発明の浴室床パンの施工部材セットは、
壁パネルを備える浴室の底面に設置される浴室床パンの施工部材セットであって、
前記壁パネルが載置される壁載置部を周縁に備え、かつ、その周縁のうちの一端に前記壁載置部を備えていない切断端部が形成されている浴室床パン本体と、
前記切断端部に配設される壁載せ部材と、
を含み、
前記壁載せ部材は、
前記浴室床パン本体の設置面側と当接して固着される固定部と、
前記固定部の一端と接続し、前記壁パネルを下方から支持する略水平な載置面部と、
前記載置面部の一端から起立し、前記壁パネルの外面を支持する側壁部と、
を備えることを特徴としている。
【発明の効果】
【０００９】
本発明の浴室床パンの施工構造およびの施工部材セットによれば、浴室の施工空間の大きさに対応させて浴室床パン本体の端部が切断された場合も、載置される壁パネルの設置安定性に優れている。
【図面の簡単な説明】
【００１０】
【図１】本発明の浴室床パンの施工構造の一実施形態を例示した設置面側からの斜視図である。
【図２】本発明の浴室床パンの施工構造における浴室床パン本体の周縁のうちの一端を切断する前の設置面側の斜視図である。
【図３】図２のＬ−Ｌ’線において浴室床パン本体を切断した状態を示した斜視図である。
【図４】本発明の浴室床パンの施工構造における壁載せ部材の一実施形態を例示した斜視図である。
【図５】本発明の浴室床パンの施工構造の別の実施形態を例示した斜視図である。
【図６】図５に例示した浴室床パンの施工構造において、脚部およびコーナー部材を取り付けた状態を例示した斜視図である。
【図７】図６に例示した浴室床パンの施工構造におけるコーナー部材の斜視図である。
【図８】図６に例示した浴室床パンの施工構造において、コーナー部材に柱部材を取り付けた状態を例示した斜視図である。
【発明を実施するための形態】
【００１１】
図１は、本発明の浴室床パンの施工構造の一実施形態を例示した設置面側からの斜視図である。図２は、本発明の浴室床パンの施工構造における浴室床パン本体の周縁のうちの一端を切断する前の設置面側の斜視図である。図３は、図２のＬ−Ｌ’線において浴室床パン本体を切断した状態を示した斜視図である。図４は、本発明の浴室床パンの施工構造における壁載せ部材の一実施形態を例示した斜視図である。
【００１２】
図２に例示したように、浴室床パン本体１の外形は平面視略矩形状であり、表面側１Ａは略平坦に形成されている。また、浴室床パン本体１には、表面側１Ａと設置面側１Ｂとを貫通する排水口Ｗが形成されている。なお、この実施形態において、浴室床パン本体１の「設置面側１Ｂ」とは、浴室の設置面に対峙する側をいう。
【００１３】
浴室床パン本体１は、周縁に壁パネル（図示していない）が載置される壁載置部２を備えている。壁載置部２は、外側に向かって略水平に拡がる平坦部２１と、この平坦部２１の外縁から表面側１Ａへ略垂直に立ち上がる起立片部２２とを備えている。この平坦部２１には壁パネルの下端面が当接し、起立片部２２によって壁パネルの下端付近の外面が支持されることで壁パネルが安定に載置される。なお、図２に例示した状態は、浴室床パン本体１を使用した最大サイズの浴室用であり、予め樹脂成形により４周に壁載置部２が形成されており、切断端部は備えていない。
【００１４】
浴室床パン本体１の設置面側１Ｂには、排水口Ｗが形成されている側に格子部３が設けられている。格子部３は、互いに対向する一対の第１外周縁部１１a、１１bと略平行な複数の第１直線部３１と、互いに対向する一対の第２外周縁部１１c、１１dと略平行な複数の第２直線部３２とが交差して形成されている。第１直線部３１と第２直線部３２は、互いに直交しており、浴室床パン本体１の設置面側１Ｂから外方に向かって突出している。浴室床パン本体１は、設置面側１Ｂに格子部３が設けられていることで強度が向上している。
【００１５】
そして、浴室床パン本体１の設置面側１Ｂには、第１外周縁部１１a側に、格子部３に隣接する複数（図１では４列）のリブ４が所定の間隔で設けられている。複数のリブ４は第１外周縁部１１a、１１bと略平行であり、その両端部は、対向する第２外周縁部１１c、１１d付近まで延びている。また、リブ４には、長手方向に沿って等間隔に、左右に突出する突出片４１が連続して設けられている。浴室床パン本体１は、設置面側１Ｂに複数のリブ４が設けられていることで、この領域の強度も向上している。
【００１６】
さらに、浴室床パン本体１の第１外周縁部１１a側には、リブ４と近接する位置に、対向する第２外周縁部１１c、１１dの方向に沿って等間隔に挿入孔１aが設けられている。
【００１７】
そして、例えば、浴室床パンの施工空間に対して図２に例示した浴室床パン本体１が大きい場合には、施工空間に対応させるために浴室床パン本体１の周縁のうちの一端を切断する。具体的には、例えば図２のＬ−Ｌ’線に例示したように、第１外周縁部１１a側の浴室床パン本体１をリブ４に沿って切断することができる。これによって、図３に例示したように、浴室床パン本体１は施工空間に対応した所望の大きさに切断され、浴室床パン本体１には、壁載置部２を備えていない切断端部１Ｃが形成される。この際、浴室床パン本体１のリブ４が所定の間隔で複数列設けられているため、施工空間に応じて、切断する位置を所望の位置（リブ４の間）で選択することができ、施工性に優れている。
【００１８】
そして、この浴室床パン本体１の切断端部１Ｃには、図４に例示した壁載せ部材５が配設される。
【００１９】
壁載せ部材５は、固定部５１と、載置面部５２と、側壁部５３とを備えており、浴室床パン本体１の第１外周縁部１１a、１１bの長さに対応した長尺な部材である。
【００２０】
固定部５１は、長手方向に略水平に延びる平坦な板状であり、長手方向に沿って所定の間隔で開口部５５が形成されている。開口部５５にはネジなどの固着具Ｔを挿入することができる。
【００２１】
載置面部５２は略水平であり、起立部５４を介して固定部５１の一端５１aと接続している。具体的には、載置面部５２は、固定部５１の一端５１aから上方に向かって立ち上がる起立部５４の上端から、固定部５１とは反対側に向かって略水平に突出している。また、起立部５４の縦方向長さは、浴室床パン本体１の厚みと略対応しており、載置面部５２の幅は設置される壁パネルの厚みと略対応している。
【００２２】
側壁部５３は、載置面部５２の突出方向の一端５２aから略垂直に起立している。側壁部５３の縦方向長さは、浴室床パン本体１の壁載置部２の起立片部２２の縦方向長さと略対応している。
【００２３】
図１に例示したように、この浴室床パンの施工構造では、浴室床パン本体１の切断端部１Ｃの設置面側１Ｂに、壁載せ部材５の固定部５１を当接させ、固着することで、壁載せ部材５が浴室床パン本体１に取り付けられている。具体的には、壁載せ部材５の開口部５５と浴室床パン本体１の挿入孔１aとの位置を一致させ、開口部５５および挿入孔１aに固着具Ｔを挿入して固定することで、壁載せ部材５を浴室床パン本体１の切断端部１Ｃの設置面側１Ｂに安定に取り付けることができる。これによって、壁載せ部材５は浴室床パン本体１の切断端部１Ｃに安定に取り付けられ、載置される壁パネルの設置安定性が向上する。
【００２４】
また、起立部５４の縦方向長さは、浴室床パン本体１の厚みと略対応しているため、浴室床パン本体１の壁載置部２の平坦部２１と壁載せ部材５の載置面部５２とは略同一平面上に位置している。このため、壁載置部２および壁載せ部材５の載置面部５２に精度よく壁パネルを載置することができる。さらに、壁載せ部材５の載置面部５２に載置された壁パネルは、その下端付近の外面が側壁部５３によって支持されるため設置安定性に優れている。
【００２５】
図５は、本発明の浴室床パンの施工構造の別の実施形態を例示した斜視図である。図１〜図４を用いて説明した部分と共通する部分には同一の符号を付し、以下では、説明の一部を省略する。
【００２６】
この実施形態の浴室床パンの施工構造では、浴室床パン本体１と壁載せ部材５との間に止水部材６Ａ、６Ｂが配設されている。
【００２７】
具体的には、止水部材６Ａは、壁載せ部材５の長手方向の両端付近の固定部５１の上面に配設されており、起立部５４および隣接する浴室床パン本体１の第２外周縁部１１dと当接している。さらに別の止水部材６Ｂは、壁載せ部材５の長手方向の両端付近の載置面部５２の上面に配設されており、側壁部５３および隣接する浴室床パン本体１の第２外周縁部１１dの起立片部２２と当接して、側壁部５３と起立片部２２との間の隙間を閉鎖している。止水部材６Ａ、６Ｂの形態は特に限定されず、例えばゴム製のパッキンなどを例示することができる。
【００２８】
この浴室床パンの施工構造は、浴室床パン本体１の切断端部１Ｃ付近と壁載せ部材５との間が止水部材６Ａ、６Ｂによって封止されているため止水性が向上しており、施工後に水漏れが生じることが抑制されている。
【００２９】
さらに、この実施形態の浴室床パンの施工構造では、壁載せ部材５は、その載置面部５２の下面側に補強部材７を備えている。
【００３０】
補強部材７は、例えば、鋼などの合金や各種の金属などで成形されており、長尺な四角柱状である。補強部材７の幅は、壁載せ部材５の載置面部５２の幅よりも大きく形成されている。補強部材７の上面７１は壁載せ部材５の載置面部５２の下面側と当接し、この上面７１と隣り合う一方の側面７２は、壁載せ部材５の起立部５４の外面側と当接している。
【００３１】
補強部材７の取付方法は特に限定されないが、例えば、予め所定の間隔で形成しておいた開口部（図示していない）に固着具を挿入して、対峙する壁載せ部材５の載置面部５２や起立部５４に対して固着する方法を例示することができる。
【００３２】
この浴室床パンの施工構造は、壁載せ部材５の載置面部５２の下面側に補強部材７が配設されているため、壁載せ部材５の強度が向上しており、載置面部５２に壁パネルを安定に載置することができる。
【００３３】
図６は、図５に例示した浴室床パンの施工構造において、脚部およびコーナー部材を取り付けた状態を例示した斜視図である。図７は、図６に例示した浴室床パンの施工構造におけるコーナー部材の斜視図である。図８は、図６に例示した浴室床パンの施工構造において、コーナー部材に柱部材を取り付けた状態を例示した斜視図である。
【００３４】
図６に例示したように、補強部材７の下面７３には、下方に向かって延び、下端が浴室の設置面に当接する脚部Ｄ１が接続されている。例えば、補強部材７の下面の所定の位置および脚部Ｄ１の上端付近に予め開口部（図示していない）を設け、この開口部に固着具を挿入することで、補強部材７の下面７３に脚部Ｄ１を接続することができる。そのため、脚部Ｄ１で補強部材７付近を補強することができ、補強部材７の上に載置される壁パネルＰの設置安定性がさらに向上している。また、この浴室床パンの施工構造では、浴室床パン本体１の切断端部１Ｃ以外の部分にも、同様の脚部Ｄ２を接続することができる。
【００３５】
さらに、この浴室床パンの施工構造では、浴室床パン本体１の切断端部１Ｃの上端付近と壁載せ部材５の側壁部５３との間にコーナー部材８が配設されている。
【００３６】
図７に例示したように、コーナー部材８は、第１外片部８１、第２外片部８２、支持台部８３、第１内片部８４および第２内片部８５を備えている。
【００３７】
第１外片部８１および第２外片部８２は縦長の平板状であり、外面部８１a、８２aの対峙方向が水平方向に略９０°異なっている。
【００３８】
支持台部８３は、第１外片部８１の内面部８１bおよび第２外片部８２の内面部８２bにおいて、縦方向中央付近のやや上側から内側に突出しており、第１外片部８１と第２外片部８２とを水平方向に接続している。
【００３９】
具体的には、支持台部８３は、第１外片部８１の内面部８１bから内側に突出し、上面８３１bが水平な第１支持台部８３１と、第２外片部８２の内面部８２bから内側に突出し、上面８３２bが略水平な第２支持台部８３２とを備えている。さらに、支持台部８３は、第１支持台部８３１の内側角部付近と第２支持台部８３２の内側角部付近とを互いに接続する接続部８３３を備えている。接続部８３３は水平方向に幅小であり、上面８３３aが略水平な略板状に形成されている。また、接続部８３３の外側面８３３bは、第１外片部８１および第２外片部８２に対して、略４５°の角度で接続している。したがって、第１外片部８１と第２外片部８２の間には、支持台部８３の外側に上下に開放された切欠状の空間Ｓが形成されている。
【００４０】
第１内片部８４および第２内片部８５は、縦長の平断面略矩形状であり、第１支持台部８３１および第２支持台部８３２を挟んで第１外片部８１および第２外片部８２と水平方向に対向している。第１内片部８４および第２内片部８５は、第１支持台部８３１および第２支持台部８３２よりも上下に突出している。また、第１内片部８４および第２内片部８５は、互いに内面部８４a、８５aの対峙方向が水平方向に略９０°異なっている。
【００４１】
浴室床パン本体１と壁載せ部材５とに跨って取り付けられたコーナー部材８は、第１支持台部８３１の下面８３１aが浴室床パン本体１の切断端部１Ｃと隣接する第２外周縁部１１dの起立片部２２の上端面と当接する。また、コーナー部材８は、第２支持台部８３２の下面８３２aが壁載せ部材５の側壁部５３の上端面に当接する。また、第１外片部８１が浴室床パン本体１の切断端部１Ｃと隣接する第２外周縁部１１dの起立片部２２の外面と当接し、第２外片部８２が壁載せ部材５の側壁部５３の外面に当接する。
【００４２】
そして、図６に例示したように、コーナー部材８の支持台部８３の外側に形成された空間Ｓ内に止水部材６Ｂが位置するため、コーナー部材８と止水部材６Ｂとは互いに接触しない非接触の状態になっている。
【００４３】
図８に例示したように、コーナー部材８は、例えば鋼などからなる長尺な柱部材９の下端を第１支持台部８３１の上面８３１bおよび第２支持台部８３２の上面８３２bに当接させることで、柱部材９を下方から支持することができる。このとき、例えば柱部材９の下端部の形状に応じて、コーナー部材８の第１内片部８４の上端側および第２内片部８５の上端側を柱部材９の下端部に係合させることで、柱部材９を安定に支持することができる。
【００４４】
そして、コーナー部材８と止水部材６Ｂとは互いに非接触の状態になっているため、止水部材６Ｂに柱部材９の荷重が負荷されることが抑制される。このため、止水部材６Ｂの変形や損傷が生じることが抑制され、柱部材９を安定に支持しつつ止水部材６Ｂによる止水性が確実に確保される。
【００４５】
そして、柱部材９に隣接する壁載せ部材５および浴室床パン本体１の壁載置部２に、壁パネルＰが載置されると、壁パネルＰの側端部Ｐ１は柱部材９と当接対峙するため、壁パネルＰの設置安定性が向上している。
【００４６】
本発明の浴室床パンの施工構造は、周縁に壁パネルＰが立設される浴室床パンの施工構造である。浴室床パンの施工構造は、壁パネルＰが載置される壁載置部２を周縁に備え、かつ、その周縁のうちの一端に壁載置部２を備えていない切断端部１Ｃが形成されている浴室床パン本体１と、浴室床パン本体１の切断端部１Ｃに配設される壁載せ部材５とを備える。
【００４７】
壁載せ部材５は、浴室床パン本体１の設置面側１Ｂと当接する固定部５１と、固定部５１と接続し、壁パネルＰを下方から支持する略水平な載置面部５２と、載置面部５２の一端から起立し、壁パネルＰの外面を支持する側壁部５３とを有する。切断端部１Ｃの設置面側１Ｂに固定部５１が固着されて、壁載せ部材５が切断端部１Ｃに配設されている。
【００４８】
この浴室床パンの施工構造では、浴室床パン本体１が設置される設置面１Ｂに当接する脚部Ｄ１が、壁載せ部材５と接続可能であることが好ましい。
【００４９】
この浴室床パンの施工構造では、壁載せ部材５は、載置面部５２の下面側に補強部材７を備えることが好ましい。
【００５０】
この浴室床パンの施工構造では、浴室床パン本体１と壁載せ部材５との間に止水部材６Ａ、６Ｂが配設されていることが好ましい。
【００５１】
この浴室床パンの施工構造では、浴室床パン本体１の切断端部１Ｃの上端付近と壁載せ部材５の側壁部５３との間にコーナー部材８が配設されており、このコーナー部材８は、止水部材６Ｂと非接触であり、かつ、柱部材９を下方から支持することが好ましい。
【００５２】
この浴室床パンの施工構造では、壁載せ部材５の固定部５１には、固着具Ｔが挿入される開口部５５が所定の間隔で設けられていることが好ましい。
【００５３】
この浴室床パンの施工構造では、浴室床パン本体１の設置面側１Ｂには、外方に向かって突出するリブ４が所定の間隔で複数列配設されていることが好ましい。
【００５４】
本発明の浴室床パンの施工部材セットは、壁パネルＰを備える浴室の底面に設置される。施工部材セットは、壁パネルＰが載置される壁載置部２を周縁に備え、かつ、その周縁のうちの一端に壁載置部２を備えていない切断端部１Ｃが形成されている浴室床パン本体１と、切断端部１Ｃに配設される壁載せ部材とを含む。壁載せ部材５は、浴室床パン本体１の設置面側１Ｂと当接して固着される固定部５１と、固定部５１の一端と接続し、壁パネルＰを下方から支持する略水平な載置面部５２と、載置面部５２の一端から起立し、壁パネルＰの外面を支持する側壁部５３とを備える。
【００５５】
本発明の浴室床パンの施工構造および浴室床パンの施工部材セットは、以上の実施形態に限定されることはない。
【符号の説明】
【００５６】
１    浴室床パン本体
１Ｂ  設置面側
１Ｃ  切断端部
２    壁載置部
４    リブ
５    壁載せ部材
５１  固定部
５２  載置面部
５３  側壁部
６Ａ、６Ｂ    止水部材
７    補強部材
８    コーナー部材
９    柱部材
Ｐ    壁パネル
【図１】
2017061829.tif 000003
【図２】
2017061829.tif 000004
【図３】
2017061829.tif 000005
【図４】
2017061829.tif 000006
【図５】
2017061829.tif 000007
【図６】
2017061829.tif 000008
【図７】
2017061829.tif 000009
【図８】
2017061829.tif 000010